(57)【要約】【課題】  本発明は、外部光源と指紋接触面に残った指紋残像による認識誤りが防止できる光学指紋入力装置を提供するためのものである。【解決手段】  本発明は、光学指紋入力装置に関するものであって、プリズムの一側面に外部の光源から入射される光により反射されてレンズに入射できる識別表示をすることで、プリズムの指紋接触面に残っている水や汗または脂などによる指紋残像による指紋の誤り認識を防止して保安性を向上させることができるようにした。また、前記プリズムの一側面に広告や広報用のロゴを利用して識別表示をする場合、視覚的な広告や広報効果が付随して得られるようにした。【選択図】  図４
2007527070.tif 000002
【特許請求の範囲】
【請求項１】
三角形のプリズムとレンズ及びイメージセンサーを含んで構成された光学指紋入力装置であって、
前記プリズムの３面中、指紋部位が接触する面に対して指紋の底面を照らすことができる方向に光を放射する光源と、
前記プリズムの指紋部位が接触しない残りの２面中、前記レンズと反対側に位置する面の識別表示と、
を含んでなることを特徴とする光学指紋入力装置。
【請求項２】
前記識別表示は、前記レンズと反対側に位置するプリズムの面に付着され、光が透過できる材質のフィルム上に記入されることを特徴とする請求項１に記載の光学指紋入力装置。
【請求項３】
前記光源の光と前記フィルムの識別表示の色相は相互間に補色関係を有するように設定されることを特徴とする請求項１または２に記載の光学指紋入力装置。
【請求項４】
前記イメージセンサーに入力されるイメージを分析して、入力イメージに前記フィルムの識別表示イメージが含まれているか否かを判別し、判別結果、識別表示イメージが含まれた場合は、該当入力イメージを残像として識別してエラーコードを発生する演算制御部を更に含むことを特徴とする請求項１または２に記載の光学指紋入力装置。
【請求項５】
前記プリズムは、指紋部位が接触する面からこれに垂直方向に位置する稜に繋がる垂線（ＰＬ）と前記プリズムから前記レンズ及び前記イメージセンサーを連結する光軸（ＯＡ）との間の角度が、前記指紋部位が接触する面に接触する指紋に付いた水や脂などの異質物に対するイメージ入力が防止できる実験値により求められる特定の角度で設定されることを特徴とする請求項１または２に記載の光学指紋入力装置。
【発明の詳細な説明】
【技術分野】
【０００１】
本発明は、光学指紋入力装置に関し、より詳しくは、指紋認識後に指紋接触面に残した指紋残像による自然的な誤り認識と、指紋残像を人為的に利用することにより発生する誤り認識を防止して、保安性を高めることができる光学指紋入力装置に関する。
【背景技術】
【０００２】
一般に、光学指紋入力装置は、手に汗や脂が付いた状態で指紋を捺すことになれば指紋接触面に残像が残すことになり、この残像は、次の指紋を捺す時にノイズとして作用することになる。
【０００３】
また、この残像は、外部光源または内部光源により指を接触しなくても接触したことと認識されることもある。これを防止するための方案として、本出願人は、２００１年２月２日付で大韓民国特許出願第２００１−０００５０３６号の光学指紋入力装置を出願して、２００４年３月５日付で大韓民国特許第４５３２５５号にて登録受けたことがある。
【０００４】
前記本出願人の特許は、図１のように、光源１、プリズム２、レンズ３及びイメージセンサー４を含んで構成され、プリズム２の指紋部位が接触する面（２ａ）からこれに垂直方向に位置する稜２−１に繋がる垂線（ＰＬ）とプリズム２からレンズ３及びイメージセンサー４までの光の入射経路（以下、“光軸”という）（ＯＡ）との間に設定角度（α）だけ傾きを与えた。
【０００５】
この場合、指紋接触面に汗（水）や脂などが付いている場合も実際の指紋イメージのみを受け入れるので、残像と実際指紋との重なりによる誤り認識を防止することができる。
【０００６】
これに対する作用原理を簡略に説明すれば、次の通りである。
【０００７】
光が入射される媒質の屈折率が透過する媒質の屈折率より大きい場合、図２において、光経路（１）に沿って屈折して進む。しかしながら、入射角（θｉ）が任意の角の以後は媒質の外に屈折して透過する光がなくなる。
【０００８】
この現象を内部全反射されたとし、この時の角度を臨界角とし、境界面をなす両媒質の屈折率により決まる。
【０００９】
臨界角は屈折角であるθｔ=９０゜の時の入射角θｉをいい、下記の数１式に示すようなスネルの法則（Snell's law）による公式を適用することができる。
【００１０】
【数１】
2007527070.tif 000003
【００１１】
上記の数１式において、ｎｉは入射される媒質の屈折率、ｎｔは透過する媒質の屈折率、θｉは入射角、そしてθｔは透過角（または、屈折角という）である。即ち、屈折率の異なる媒質内で光の進行はスネルの法則によりその最大角度が決まる。
【００１２】
図３の（ａ）のように、指紋接触媒質５に汗や脂（Ｍ）が付いた指（Ｆ）を接触する際、指紋の溝（Ｖ）部分では光が反射がなくて、隆線（Ｒ）では反射されて光経路（３）に沿って指紋情報が進行する。しかしながら、指（Ｆ）の汗または脂（Ｍ）で反射された光は、前記したスネルの法則により光経路（２）に進行し、この際、光経路（２）より大きい角度には進行できない。したがって、光経路（３）に沿う指紋情報のみを受け入れれば、汗または脂による残像が除去できるものである。
【００１３】
即ち、図３の（ｂ）に示すように、プリズム２に傾きがなければ、指紋の隆線（Ｒ）から出る指紋情報（３）と汗または脂から出る残像（２）が重なってレンズ３及びイメージセンサー４に入射することになる。
【００１４】
しかしながら、図３の（ｃ）のように、プリズム２の指紋部位が接触する面２ａから、これに垂直方向に位置する稜（２−１）に繋がる垂線（ＰＬ）とプリズム２からレンズ３及びイメージセンサー４までの光軸（ＯＡ）との間に設定角度（α）だけ傾きを与えれば、隆線（Ｒ）による指紋情報（３）はレンズ３に入射するが、汗または脂による残像（２）はレンズ３に入ることができない。
【００１５】
したがって、指紋接触面に汗や脂などの残像が残っていても、前記のような理由により実際の指紋情報のみレンズ３を通じてイメージセンサー４に入射することになるので、残像指紋と実際指紋とが重なることにより生じる誤り認識を防止することができる。
【００１６】
ところが、前記した本出願人の特許は、指紋入力装置の内部光源のみ利用される場合、即ち、プリズムの指紋接触面を通じて外部の光が入射されない状態では有効であるが、プリズムの指紋接触面に外部光源（例えば、懐中電灯等）の光が入射される場合は、プリズムの指紋接触面に残っている指の指紋残像（汗や水、脂気などにより生成される）に対するイメージがプリズムとレンズを介してイメージセンサーに入射されて指紋認識に誤りを発生させる問題点があった。
【００１７】
例えば、プリズムの指紋接触面に正常な認証使用者の指の指紋残像が鮮明に残っている状態で、指紋入力装置が設けられている場所の照明灯から発生される光がプリズムの指紋接触面に適切な角度で入射される場合や、不法侵入を試みる人が人為的にプリズムの指紋接触面に懐中電灯のような外部光源を適切な角度で照らす場合に、指紋接触面に残っている定常の認証使用者の指の指紋残像がイメージセンサーに入射されながら定常使用者の指紋が接触したことと認識する誤りが発生することになる。
【特許文献１】大韓民国特許第４５３２５５号
【発明の開示】
【発明が解決しようとする課題】
【００１８】
本発明は、前記したような従来の問題点を解消するために案出したものであって、外部光源と指紋接触面に残った指紋残像による認識誤りが防止できる光学指紋入力装置を提供することをその目的とする。
【課題を解決するための手段】
【００１９】
前記の目的を達成するための本発明の好ましい実施形態に係る光学指紋入力装置は、三角形のプリズムとレンズ及びイメージセンサーと、前記プリズムの３面中、指紋部位が接触する面に対して指紋の底面を照らすことができる方向に光を放射する光源と、前記プリズムの指紋部位が接触しない残りの２面中、前記レンズと反対側に位置する面の識別表示と、を含んでなることを特徴とする。
【００２０】
そして、本発明は、前記識別表示が前記レンズと反対側に位置するプリズムの面に付着され、光が透過できる材質のフィルム上に記入されることを他の特徴とする。
【００２１】
また、本発明は、前記光源の光と前記フィルムの識別表示の色相は相互間に補色関係を有するように設定されることを更に他の特徴とする。
【００２２】
また、本発明は、前記イメージセンサーに入力されるイメージを分析して入力イメージに前記フィルムの識別表示イメージが含まれているか否かを判別し、判別結果、識別表示イメージが含まれた場合は、該当入力イメージを残像として識別してエラーコードを発生する演算制御部を更に含むことを更に他の特徴とする。
【発明の効果】
【００２３】
前述したように、本発明は、プリズムの一側面に外部の光源から入射される光により反射されてレンズに入射できる識別表示をすることで、プリズムの指紋接触面に残っている水や汗または脂などによる指紋残像による指紋の誤り認識を防止して、保安性を向上させることができる効果が得られる。
【００２４】
また、前記プリズムの一側面に広告や広報用のロゴを利用して識別表示をする場合、時間的な広告や広報効果を得ることができる付随的な効果が得られる。
【発明を実施するための最良の形態】
【００２５】
以下、本発明の好ましい実施形態を添付した図面を参照しつつ詳細に説明する。
【００２６】
図４及び図５は、本発明の好ましい実施形態に係る光学指紋入力装置を示す概略図であって、同図面から分かるように、本発明に係る光学指紋入力装置は、光源１１、プリズム１２、レンズ１３、イメージセンサー１４、フィルム２０、信号処理部３０及び制御演算部４０を含んで構成される。
【００２７】
前記光源１１は、プリズム１２の３面中、指紋部位が接触する面（以下、“指紋接触面”という）１２ａに対して垂直方向に位置する稜（１２−１）に向かって光を放射するように配置される。
【００２８】
ここで、光源１１は、ａ）常に点灯しているように設定されたり、ｂ）制御演算部４０や別途の光源制御用制御装置により選択的に点灯されたり、ｃ）プリズム１２の指紋接触面１２ａに対する指の接触を感知する通常の接触感知手段（接触感知センサーや近接センサー等）により指の接触が感知される場合に点灯するように構成される等、通常の光学指紋入力装置に内蔵される光源のように点灯制御される。
【００２９】
前記プリズム１２は、光の入射、反射及び透過など、光学的に利用される３個の面を有する（光学的に利用されない側面は除外）三角形のプリズムであって、指紋接触面１２ａに接触する指（Ｆ）の指紋部位から反射されて入射する光を透過及び屈折させてレンズ１３に伝達する。
【００３０】
ここで、プリズム１２は指紋接触面１２ａからこれに垂直方向に位置する稜（１２−１）に繋がる垂線（ＰＬ）とプリズム１２からレンズ１３及びイメージセンサー１４を連結する光軸（ＯＡ）との間に傾き角度（α）が、指紋接触面１２ａに接触する指（Ｆ）の指紋に付いた水や脂などの異質物に対するイメージ入力が防止できる実験値により求められる特定の角度で設定することが好ましい。
【００３１】
これは、内部の光源１１を使用する場合に、プリズム１２の指紋接触面１２ａに汗（水）や脂などが付いている場合も実際の指紋イメージのみを受け入れて残像と実際指紋の重なりによる誤り認識が防止できるためである。
【００３２】
前記レンズ１３は、プリズム１２から透過及び屈折して出る光を結像し、前記イメージセンサー１４はレンズ１３により結像された光によりイメージを受け入れて、それに相応する電気的な信号を発生する。
【００３３】
前記フィルム２０は、光が透過できる材質であって、プリズム１２の指紋接触面１２ａを除外した残りの２面中、レンズ１３と反対側に位置する面に付着され、ロゴ（Logo）のような特定の識別表示がされている。
【００３４】
この際、フィルム２０の識別表示色は、光源１１の色相と補色関係を有するように設定することが好ましい。これは、指紋入力装置の外部から入射される光でない、内部の光源１１から発生する光がフィルム２０の識別表示部分で反射して、指紋イメージと重なった状態でイメージセンサー１４に入射する可能性を最小化させることができるためである。
【００３５】
参考に、フィルム２０の識別表示色相と光源１１の色相と補色関係を有する場合、光源１１の光に対するフィルム２０の識別表示部分の光吸収率は高まり、反射率は最小化する。
【００３６】
また、前記したフィルム２０の識別表示は、プリズム１２の指紋接触面１２ａを通じて肉眼に見えるので、フィルム２０の識別表示部分に広告用のロゴなどを記入する場合、広告や広報用にも利用されることができる。
【００３７】
前記信号処理部３０は、イメージセンサー１４から出力される信号をイメージプロセシングに適した形態で信号処理して制御演算部４０に入力する。
【００３８】
前記制御演算部４０は、イメージセンサー１４から信号処理部３０に入力される信号によりイメージプロセシングを遂行して、指紋映像を獲得及び認識して、その認識結果を出力し、かつ、入力された指紋映像を分析してフィルム２０の識別表示イメージが含まれているか否かを判別して、判別結果、フィルム２０の識別表示イメージが含まれている場合は、認識された指紋を残像として識別してエラーコードを発生して出力する。
【００３９】
ここに、上記のように構成された本発明の作用効果を説明すれば、次の通りである。
【００４０】
まず、プリズム１２の指紋接触面１２ａに実際の指（Ｆ）は接触しなくて、水や汗または脂などによる指紋残像５０が残っている場合、図４に示すように、光源１１から放射される光は、多くはプリズム１２の指紋接触面１２ａを通じて外部に透過し、一部の指紋残像５０により反射される光はその量が微少であり、プリズム１２の傾き角度（α）によりレンズ１３に結像されない。
【００４１】
しかしながら、外部の光源（例えば、指紋入力装置が設けられた場所の照明灯、懐中電灯等）からプリズム１２の指紋接触面１２ａに光が適切な角度で入射される場合、指紋残像５０のイメージがレンズ１３を介してイメージセンサー１４に入射されることになる。
【００４２】
この際、外部の光源からプリズム１２の指紋接触面１２ａに入射される光の一部がフィルム２０の識別表示部分に反射されて光軸（ＯＡ）に沿って進行するので、フィルム２０の識別表示イメージが指紋残像５０のイメージと重なった状態でレンズ１３を介してイメージセンサー１４に入射される。
【００４３】
ここに、制御演算部４０は、イメージセンサー１４から信号処理部３０に入力される信号によりイメージプロセシングを遂行して指紋映像を獲得及び認識し、かつ、認識された指紋映像に識別表示イメージが含まれていることと分析されれば、指紋に対する認証を拒否してエラーコードを発生する。
【００４４】
一方、プリズム１２の指紋接触面１２ａに実際の指（Ｆ）が接触する場合は、この指（Ｆ）により外部の光源が遮断されるので、図５に示すように、純粋に内部の光源１１から放射されて指（Ｆ）の指紋部位の中、隆線（Ｒ）部分で反射される光のみレンズ１３を介してイメージセンサー１４に入射されるので、制御演算部４０を通じて実際の指（Ｆ）の指紋映像のみ得られることになる。
【００４５】
前記において、本発明は、特定の実施形態を例示して説明するが、本発明が前記実施形態に限るのではない。当業者は本発明に対する多様な変形及び修正を容易にさせることができ、このような変形または修正が本発明の特徴を利用する限り、本発明の範囲に含まれるはずである。
【００４６】
特に、前記した本発明の実施形態では、プリズムの一面に識別表示をするために、フィルムを付着する場合のみを例として説明したが、これは、好ましい一例に過ぎないのであり、プリズムの一面にプリンティングや塗布または陰刻／陽刻などの方法により直接識別表示を記入することができる。
【図面の簡単な説明】
【００４７】
【図１】従来の光学指紋入力装置を示す概略図である。
【図２】媒質境界面での光の屈折現状を説明するための図である。
【図３】図１において、プリズムの傾き角度によって指の指紋部位に付いた水分（汗、水等）、または脂の映像が区分される原理を説明するための図である。
【図４】本発明の好ましい実施形態に係る光学指紋入力装置を示す概略図である。
【図５】本発明の好ましい実施形態に係る光学指紋入力装置を示す概略図である。
【符号の説明】
【００４８】
１１    光源
１２    プリズム
１２ａ    指紋接触面
１３    レンズ
１４    イメージセンサー
２０    フィルム
３０    信号処理部
４０    制御演算部
【図１】
2007527070.tif 000004
【図２】
2007527070.tif 000005
【図３】
2007527070.tif 000006
【図４】
2007527070.tif 000007
【図５】
2007527070.tif 000008
【国際調査報告】
2007527070.tif 000009
2007527070.tif 000010